(57)【要約】本発明は、水圧および人体荷重を用いた便器の無電源自動水洗装置付き便座およびその制御方法を提供する。本発明の便座は、人体荷重を感知して動作し、配管を介して給水された水を制御弁のオン／オフによって制御して排出させる人体荷重センサーおよび水路制御部（３００）と、水圧および便器種類の排水量に合わせて、前記人体荷重センサーおよび水路制御部（３００）の制御弁から水路を介して通過する水の量を調節するチェック弁ユニット（４００）を含む。本発明の便座は前記人体荷重センサーおよび水路制御部（３００）で人体荷重を感知すると、前記人体荷重センサーおよび水路制御部（３００）から供給された水の水圧によって動作して自動的に自動水洗装置へ給水させるシリンダー動作部（５００）とを含んでなる。【選択図】なし
2011511189.tif 000002
【特許請求の範囲】
【請求項１】
人体荷重を感知して動作し、配管を介して給水された水を制御弁のオン／オフによって制御して排出させる人体荷重センサーおよび水路制御部（３００）と；
水圧および便器種類の排水量に合わせて、前記人体荷重センサーおよび水路制御部（３００）の制御弁から水路を介して通過する水の量を調節するチェック弁ユニット（４００）と；
前記人体荷重センサーおよび水路制御部（３００）で人体荷重を感知すると、前記人体荷重センサーおよび水路制御部（３００）から供給された水の水圧によって動作して自動的に自動水洗装置へ給水するシリンダー動作部（５００）と；を含んでなることを特徴とする、水圧および人体荷重を用いた便器の無電源自動水洗付き便座。
【請求項２】
建物直水型便器洗浄弁の上部のピストン内部圧力室から水の供給を受け、供給された水を制御弁のオン／オフによって制御し、前記ピストン内部圧力室から供給される水より少ない量を排出させる人体荷重センサーおよび水路制御部（３００）と；
水圧および便器種類の排水量に合わせて、前記人体荷重センサーおよび水路制御部（３００）の制御弁から水路を介して通過する水の量を調節するチェック弁ユニット（４００）と；
前記人体荷重センサーおよび水路制御部（３００）で人体荷重を感知すると、前記人体荷重センサーおよび水路制御部（３００）から供給された水の水圧によって動作して、前記ピストン内部圧力室から供給された水の量に対応する所定量の水を退水させて自動水洗が行われるようにするシリンダー動作部（５００）と；を含んでなることを特徴とする、水圧および人体荷重を用いた便器の無電源自動水洗付き便座。
【請求項３】
前記人体荷重センサーおよび水路制御部（３００）は、
人体荷重を感知し、感知結果によって動作する人体荷重スイッチ（３１０）と；
前記人体荷重スイッチ（３１０）がターンオンされるとオンになり、給水された水を前記シリンダー動作部（５００）へ配管を介して供給して前記シリンダー動作部（５００）が水圧によって前進動作するようにするシリンダー前進時給水制御弁（３２０）と；
前記人体荷重スイッチ（３１０）がターンオンされるとオフになり、給水された水を前記シリンダー動作部（５００）内の水洗開閉弁（５２０）へ配管を介して供給する水洗給水制御弁（３４０）と；
前記人体荷重スイッチ（３１０）がターンオンされるとオフになり、給水された水を前記チェック弁ユニット（４００）のシリンダー後進時退水チェック弁（４２０）へ配管を介して供給して水が退水されるようにするシリンダー後進時退水制御弁（３６０）と；を含んでなることを特徴とする、請求項１または２に記載の水圧および人体荷重を用いた便器の無電源自動水洗付き便座。
【請求項４】
前記チェック弁ユニット（４００）は、
前記人体荷重センサーおよび水路制御部（３００）内のシリンダー後進時退水制御弁（３６０）がターンオンされると、対応している配管を介して水の供給を受けて退水させるシリンダー後進時退水チェック弁（４２０）；を含んでなることを特徴とする、請求項１または２に記載の水圧および人体荷重を用いた便器の無電源自動水洗付き便座。
【請求項５】
前記シリンダー動作部（５００）は、
前記人体荷重センサーおよび水路制御部（３００）内のシリンダー前進時給水制御弁（３２０）がターンオンされると、配管を介して前記シリンダー動作部（５００）は水の供給を受け、供給された水の水圧によって前進し、シリンダーロッド（５１０）の前進方向のシリンダーロッド（５１０）の末端部分に位置して水洗開閉弁（５２０）を開く水洗制御突起（５１１）を備えたシリンダーロッド（５１０）と；
前記水洗制御突起（５１１）の前進動作によって持ち上げられ、前記人体荷重センサーおよび水路制御部（３００）内の水洗給水制御弁（３４０）から供給される水が自動水洗装置へ給水されるようにする水洗開閉弁棒（５２１）を備えた水洗開閉弁（５２０）と；
前記人体荷重センサーおよび水路制御部（３００）内の人体荷重スイッチ（３１０）がターンオフされるときに前記シリンダーロッド（５１０）を後進させるバネ（５４０）と；を含んでなることを特徴とする、請求項１または２に記載の水圧および人体荷重を用いた便器の無電源自動水洗付き便座。
【請求項６】
チェック弁ユニット（４００）を水圧および便器種類の排水量に合わせて調節し、人体荷重センサーおよび水路制御部（３００）の制御が行われるようにする設定段階（ＳＴ１）と、
前記人体荷重センサーおよび水路制御部（３００）がターンオンされて作動すると、シリンダー動作部（５００）に給水された水の水圧によって前記シリンダー動作部（５００）内のシリンダーロッド（５１０）を前進させる前進段階（ＳＴ２〜ＳＴ５）と、
人体荷重が除去されたと前記人体荷重センサーおよび水路制御部（３００）で判別すると、前記シリンダーロッド（５１０）を後進させて自動水洗装置へ水を給水させる給水段階（ＳＴ６、ＳＴ７）とを含んでなることを特徴とする、水圧および人体荷重を用いた便器の無電源自動水洗付き便座の制御方法。
【請求項７】
前記設定段階では、
水圧および便器種類の排水量に合わせて前記チェック弁ユニット（４００）のシリンダー後進時退水チェック弁（４２０）を調節することを特徴とする、請求項６に記載の水圧および人体荷重を用いた便器の無電源自動水洗付き便座の制御方法。
【請求項８】
前記設定段階では、
前記人体荷重センサーおよび水路制御部（３００）の設定の際に、人体荷重スイッチ（３１０）はオフ、シリンダー前進時給水制御弁（３２０）はオフ、水洗給水制御弁（３４０）はオン、シリンダー後進時退水制御弁（３６０）はオンにそれぞれ設定することを特徴とする、請求項６に記載の水圧および人体荷重を用いた便器の無電源自動水洗付き便座の制御方法。
【請求項９】
前記前進段階は、前記人体荷重センサーおよび水路制御部（３００）内の人体荷重スイッチ（３１０）がターンオンされると動作することを特徴とする、請求項６に記載の水圧および人体荷重を用いた便器の無電源自動水洗付き便座の制御方法。
【請求項１０】
前記前進段階では、
前記人体荷重センサーおよび水路制御部（３００）の作動の際に、人体荷重スイッチ（３１０）はオン、シリンダー前進時給水制御弁（３２０）はオフ、水洗給水制御弁（３４０）はオフ、シリンダー後進時退水制御弁（３６０）はオフにそれぞれ変更されるようにすることを特徴とする、請求項６に記載の水圧および人体荷重を用いた便器の無電源自動水洗付き便座の制御方法。
【請求項１１】
前記前進段階では、
前記人体荷重センサーおよび水路制御部（３００）内のシリンダー前進時給水制御弁（３２０）のオン状態によって給水された水が前記シリンダー動作部（５００）内のシリンダーロッド（５１０）へ配管を介して伝達されるようにして、水の水圧によって前記シリンダーロッド（５１０）を前進させることを特徴とする、請求項６に記載の水圧および人体荷重を用いた便器の無電源自動水洗付き便座の制御方法。
【請求項１２】
前記前進段階では、
前記シリンダーロッド（５１０）が前進するとき、前記シリンダーロッド（５１０）の第２突起（５１３）が水洗開閉弁（５２０）の水洗開閉弁棒（５２１）を押し上げ、前記水洗開閉弁（５２０）をターンオンさせるが、水洗給水制御部弁（３４０）がターンオフされて人体荷重スイッチ（３１０）がターンオンされるときは前記水洗開閉弁（５２０）の水の給水を防止することを特徴とする、請求項６に記載の水圧および人体荷重を用いた便器の無電源自動水洗付き便座の制御方法。
【請求項１３】
前記給水段階は、前記人体荷重センサーおよび水路制御部（３００）内の人体荷重スイッチ（３１０）がターンオフされると動作することを特徴とする、請求項６〜１２のいずれか１項に記載の水圧および人体荷重を用いた便器の無電源自動水洗付き便座の制御方法。
【請求項１４】
前記給水段階では、
前記人体荷重センサーおよび水路制御部（３００）内の水洗給水制御弁（３４０）がターンオンされるようにして、前記シリンダー動作部（５００）内の水洗開閉弁（５２０）を介して自動水洗装置へ水を給水させることを特徴とする、請求項６〜１２のいずれか１項に記載の水圧および人体荷重を用いた便器の無電源自動水洗付き便座の制御方法。
【請求項１５】
前記給水段階では、
自動水洗装置に水を給水させるとき、前記シリンダーロッド（５１０）がバネ（５４０）によって後進するようにすることを特徴とする、請求項６〜１２のいずれか１項に記載の水圧および人体荷重を用いた便器の無電源自動水洗付き便座の制御方法。
【請求項１６】
水道栓から給水されて配管を介して供給された水を濾過するフィルター（１００）と；
前記フィルター（１００）から配管を介して水の供給を受け、一定の水圧に変換させる減圧弁（２００）と；
人体荷重を感知して動作し、前記減圧弁（２００）から供給された水の給水を水路配管を介して受け、制御弁のオン／オフによって制御して水を排出させる人体荷重センサーおよび水路制御部（３００）と；
水圧および便器種類の排水量に合わせて、前記人体荷重センサーおよび水路制御部（３００）の制御弁から水路を介して通過する水の量を調節するチェック弁ユニット（４００）と；
前記人体荷重センサーおよび水路制御部（３００）で人体荷重を感知すると、前記人体荷重センサーおよび水路制御部（３００）から供給された水の水圧によって動作して自動的に自動水洗装置へ給水するシリンダー動作部（５００）と；を含んでなることを特徴とする、水圧および人体荷重を用いた便器の無電源自動水洗付き便座。
【請求項１７】
建物直水型便器洗浄弁の上部のピストン内部圧力室から水の供給を受け、給水された水を濾過するフィルター（１００）と；
前記フィルター（１００）から配管を介して水の供給を受け、一定の水圧に変換させる減圧弁（２００）と；
人体荷重を感知して動作し、前記減圧弁（２００）から供給された水の給水を水路配管を介して受け、制御弁のオン／オフによって制御して前記ピストン内部圧力室からの水より少ない量を排出させる人体荷重センサーおよび水路制御部（３００）と；
水圧および便器種類の排水量に合わせて、前記人体荷重センサーおよび水路制御部（３００）の制御弁から水路を介して通過する水の量を調節するチェック弁ユニット（４００）と；
前記人体荷重センサーおよび水路制御部（３００）で人体荷重を感知すると、前記人体荷重センサーおよび水路制御部（３００）から供給された水の水圧によって動作して、前記ピストン内部圧力室から供給された水の量に対応する所定量の水を退水させて水洗が行われるようにするシリンダー動作部（５００）と；を含んでなることを特徴とする、水圧および人体荷重を用いた便器の無電源自動水洗付き便座。
【請求項１８】
前記水圧および人体荷重を用いた便器の無電源自動水洗装置付き便座は、
前記チェック弁ユニット（４００）によって手動レバー（６３０）による水洗時の水量が設定されるようにし、前記手動レバー（６３０）を回すと、自動水洗装置へ給水して水洗が行われるようにする手動レバー部（６００）；をさらに含んでなることを特徴とする、請求項１６または１７に記載の水圧および人体荷重を用いた便器の無電源自動水洗付き便座。
【請求項１９】
前記手動レバー部（６００）は、
手動レバー部（６００）内に設けられ、配管を介して給水される水を含有した部分、および手動レバーシリンダーロッド（６２０）が位置した部分を塞ぐゴムパッキング（６１０）と；
前記ゴムパッキング（６１０）に連結され、手動レバー（６３０）の動作の際に前記ゴムパッキング（６１０）を開き、給水された水が自動水洗装置へ給水されるようにする手動レバーシリンダーロッド（６２０）と；
回転の際に手動レバーカム（６３１）の回転動作によって前記シリンダーロッド（６２０）を動作させて前記ゴムパッキング（６１０）を開き、給水された水が自動水洗装置へ給水されるように操作することを可能にする手動レバー（６３０）と；
前記シリンダーロッド（６２０）に連結され、自動水洗装置への給水後にゴムパッキング（６１０）を閉じる手動レバーバネ（６４０）と；を含んでなることを特徴とする、請求項１８に記載の水圧および人体荷重を用いた便器の無電源自動水洗付き便座。
【請求項２０】
前記人体荷重センサーおよび水路制御部（３００）は、
人体荷重を感知して感知結果によって動作する人体荷重スイッチ（３１０）と；
前記人体荷重スイッチ（３１０）がターンオンされるとオンになり、給水された水を前記シリンダー動作部（５００）へ配管を介して供給して前記シリンダー動作部（５００）が水圧によって前進動作するようにするシリンダー前進時給水制御弁（３２０）と；
前記人体荷重スイッチ（３１０）がターンオンされるとオフになり、給水された水を前記シリンダー動作部（５００）へ配管を介して供給して前記シリンダー動作部（５００）が水圧によって後進動作するようにするシリンダー後進時給水制御弁（３３０）と；
前記人体荷重スイッチ（３１０）がターンオンされるとオフになり、給水された水を前記シリンダー動作部（５００）内の選択開閉弁（５２２）へ配管を介して供給する選択給水制御弁（３４１）と；
前記人体荷重スイッチ（３１０）がターンオンされるとオンになり、給水された水を前記チェック弁ユニット（４００）のシリンダー後進時退水チェック弁（４２０）へ配管を介して供給して前記シリンダー動作部（５００）内のシリンダーロッド（５１０）の前進時に水が退水されるようにするシリンダー前進時退水制御弁（３５０）と；
前記人体荷重スイッチ（３１０）がターンオンされるとオフになり、給水された水を前記チェック弁ユニット（４００）のシリンダー後進時退水チェック弁（４２０）へ配管を介して供給して前記シリンダー動作部（５００）内のシリンダーロッド（５１０）の後進時に水が退水されるようにするシリンダー後進時退水制御弁（３６０）と；を含んでなることを特徴とする、請求項１６または１７に記載の水圧および人体荷重を用いた便器の無電源自動水洗付き便座。
【請求項２１】
前記チェック弁ユニット（４００）は、
前記人体荷重センサーおよび水路制御部（３００）内のシリンダー前進時退水制御弁（３５０）がターンオンされると、配管を介して水の供給を受けて退水させるシリンダー前進時退水チェック弁（４１０）と；
前記人体荷重センサーおよび水路制御部（３００）内のシリンダー後進時退水制御弁（３６０）がターンオンされると、配管を介して水の供給を受けて退水させるシリンダー後進時退水チェック弁（４２０）と；
前記シリンダー動作部（５００）内の水洗遅延時間調節弁（５３０）に連結され、水洗遅延時間の調節を可能にする水洗遅延時間チェック弁（４３０）と；
手動レバー部（６００）に連結され、前記手動レバー部（６００）による水量の調節を可能にする手動レバー水量チェック弁（４４０）と；を含んでなることを特徴とする、請求項１６または１７に記載の水圧および人体荷重を用いた便器の無電源自動水洗付き便座。
【請求項２２】
前記シリンダー動作部（５００）は、
前記人体荷重センサーおよび水路制御部（３００）内のシリンダー前進時給水制御弁（３２０）がターンオンされると、配管を介して水の供給を受け、供給された水の水圧によって前進し、シリンダーロッド（５１０）の前進方向に応じてシリンダーロッド５１０の前進方向に応じてシリンダーロッド５１０の前進方向の末端部分に位置して選択開閉弁（５２２）を開き、使用者が小便をする場合に対応した便座作業を行う第１突起（５１２）、シリンダーロッド（５１０）の前進方向に応じて前記第１突起（５１２）より前進方向の後ろ部分に位置して前記選択開閉弁（５２２）を開き、使用者が大便する場合に対応した便座作業を行う第２突起（５１３）、および水洗遅延時間調節弁（５３０）を開いて水洗動作の遅延時間を制御する第３突起（５１４）を備えたシリンダーロッド（５１０）と；
選択開閉弁棒（５２３）を備え、前記シリンダーロッド（５１０）の前進動作によって持ち上げられ、前記人体荷重センサーおよび水路制御部（３００）内の選択給水制御弁（３４１）から供給される水が自動水洗装置へ給水されるようにする選択開閉弁棒（５２３）を備えた選択開閉弁（５２２）と；
前記シリンダーロッド（５１０）の前進動作によって持ち上げられる水洗遅延時間調節棒（５３１）を備え、前記チェック弁ユニット（４００）内の水洗遅延時間チェック弁（４４０）の調節によって通過する水の量を調節することにより、水洗遅延時間を考慮して自動水洗が行われるようにする水洗遅延時間調節弁（５３０）と；を含んでなることを特徴とする、請求項１６または１７に記載の水圧および人体荷重を用いた便器の無電源自動水洗付き便座。
【請求項２３】
前記シリンダー動作部（５００）は、
前記第１突起（５１２）は前記シリンダーロッド（５１０）に固定されるように、前記第２突起（５１３）は前記シリンダーロッド（５１０）上でスライドされるように構成されたことを特徴とする、請求項２２に記載の水圧および人体荷重を用いた便器の無電源自動水洗付き便座。
【請求項２４】
チェック弁ユニット（４００）を水圧および便器種類の排水量に合わせて調節し、人体荷重センサーおよび水路制御部（３００）の設定が行われるようにする設定段階（ＳＴ１１）と；
水道栓から配管を介して供給された水を濾過するフィルター段階（ＳＴ１２）と；
供給された水を一定の水圧に変換させる減圧段階（ＳＴ１３）と；
人体荷重センサーおよび水路制御部（３００）がターンオンされて作動すると、シリンダー動作部（５００）へ給水された水を供給して前記シリンダー動作部（５００）内のシリンダーロッド（５１０）を水圧によって前進させながら大便か小便かの区分および水洗遅延時間区分を行う前進段階（ＳＴ１４〜ＳＴ１６）と；
人体荷重が除去されたことを前記人体荷重センサーおよび水路制御部（３００）で判別すると、前記シリンダーロッド（５１０）を後進させながら、区分された大小便、水洗遅延時間に応じて自動水洗装置へ水を給水させる給水段階（ＳＴ１７、ＳＴ１８）と；を含んでなることを特徴とする、水圧および人体荷重を用いた便器の無電源自動水洗装置付き便座の制御方法。
【請求項２５】
前記設定段階では、
水圧および便器種類の排水量に合わせて、前記チェック弁ユニット（４００）のシリンダー前進時退水チェック弁（４１０）、シリンダー後進時退水チェック弁（４２０）、水洗遅延時間チェック弁（４３０）および手動レバー水量チェックバルブ（４４０）のうちの少なくとも一つを調節することを特徴とする、請求項２４に記載の水圧および人体荷重を用いた便器の無電源自動水洗装置付き便座の制御方法。
【請求項２６】
前記設定段階では、
前記人体荷重センサーおよび水路制御部（３００）の設定の際に、人体荷重スイッチ（３１０）はオフ、シリンダー前進時給水制御弁（３２０）はオフ、シリンダー後進時給水制御弁（３３０）はオン、選択給水制御弁（３４１）はオン、シリンダー前進時退水制御弁（３５０）はオフ、シリンダー後進時退水制御弁（３６０）はオンにそれぞれ設定することを特徴とする、請求項２４に記載の 水圧および人体荷重を用いた便器の無電源自動水洗装置付き便座の制御方法。
【請求項２７】
前記前進段階は、前記人体荷重センサーおよび水路制御部（３００）内の人体荷重スイッチ（３１０）がターンオンされると動作することを特徴とする、請求項２４に記載の水圧および人体荷重を用いた便器の無電源自動水洗装置付き便座の制御方法。
【請求項２８】
前記前進段階では、
前記人体荷重センサーおよび水路制御部（３００）の作動の際に、人体荷重スイッチ（３１０）はオン、シリンダー前進時給水制御弁（３２０）はオン、シリンダー後進時給水制御弁（３３０）はオフ、選択給水制御弁（３４１）はオフ、シリンダー前進時退水制御弁（３５０）はオン、シリンダー後進時退水制御弁（３６０）はオフにそれぞれ変更されるようにすることを特徴とする、請求項２４に記載の水圧および人体荷重を用いた便器の無電源自動水洗装置付き便座の制御方法。
【請求項２９】
前記前進段階では、
前記人体荷重センサーおよび水路制御部（３００）内のシリンダー前進時給水制御弁（３２０）のオン状態によって給水された水が前記シリンダー動作部（５００）内のシリンダーロッド（５１０）の前部分に配管を介して伝達されるようにして、伝達された水の水圧によって前記シリンダーロッド（５１０）を前進させることを特徴とする、請求項２４に記載の水圧および人体荷重を用いた便器の無電源自動水洗装置付き便座の制御方法。
【請求項３０】
前記前進段階では、
前記シリンダーロッド（５１０）が前進するとき、前記シリンダーロッド（５１０）の第１突起（５１２）と第２突起（５１３）によって小便量か大便量かを区分するようにし、第３突起（５１４）によって水洗遅延時間を区分するようにすることを特徴とする、請求項２４に記載の水圧および人体荷重を用いた便器の無電源自動水洗装置付き便座の制御方法。
【請求項３１】
前記前進段階における大小便の区分は、
前記チェック弁ユニット（４００）内のシリンダー前進時退水チェック弁（４１０）の調節によって行われるようにすることを特徴とする、請求項３０に記載の水圧および人体荷重を用いた便器の無電源自動水洗装置付き便座の制御方法。
【請求項３２】
前記前進段階における大小便の区分は、
前記人体荷重センサーおよび水路制御部（３００）内の人体荷重スイッチ（３１０）がターンオンされた後、５秒〜２０秒以上５０秒〜８０秒以下であれば、小便として判断して小便に相応する自動水洗が行われるようにし、５０秒〜８０秒以上であれば、大便として判断して大便に相応する自動水洗が行われるようにすることを特徴とする、請求項３１に記載の水圧および人体荷重を用いた便器の無電源自動水洗装置付き便座の制御方法。
【請求項３３】
前記給水段階は、前記人体荷重センサーおよび水路制御部（３００）内の人体荷重スイッチ（３１０）がターンオフされると動作することを特徴とする、請求項２４〜３２のいずれか１項に記載の水圧および人体荷重を用いた便器の無電源自動水洗装置付き便座の制御方法。
【請求項３４】
前記給水段階では、
前記人体荷重センサーおよび水路制御部（３００）内の選択給水制御弁（３４１）がターンオンされるようにして、前記シリンダー動作部（５００）内の選択開閉弁（５２２）を介して自動水洗装置へ水を給水させることを特徴とする、請求項２４〜３２のいずれか１項に記載の水圧および人体荷重を用いた便器の無電源自動水洗装置付き便座の制御方法。
【発明の詳細な説明】
【技術分野】
【０００１】
本発明は、便器の自動水洗装置付き便座に係り、さらに詳しくは、水圧および人体荷重を用いて無電源で便器の自動水洗が行われるようにして電力を節減することができ、大便か小便かを区分しそれに対応して自動的に水洗が行われるようにして便器の種類によっては水を３０〜５０％まで節約することができる、水圧および人体荷重を用いた便器の無電源自動水洗装置付き便座およびその制御方法に関する。
【背景技術】
【０００２】
一般に、便器は、和式便器、小便器、洋式便器（大小便兼用）などがある。洋式便器は全て水洗タイプである。和式便器は水洗タイプと非水洗タイプに分けられる。非水洗タイプの和式便器には、便器の縁部のみに沿って底が開いているもの、便器の前部には底が有り後部下端のみ開いているものなどがある。水洗タイプの便器は、後給水−前排水式、サイホンジェット式、前給水−後排水式の３種に分けられる。
【０００３】
洋式便器は、大小便兼用で使用することができ、陶器製の本体と、エナメル塗装の木製またはプラスチック製の便座およびカバーで構成されている。また、洋式便器は、汚水流出方法によって、サイホンジェット式とウォッシュアウト式に分けられる。加えて、洋式便器の一種には、用便後に自動的に尻部をお湯で洗浄し温風で乾燥させる形式のものもある。
【０００４】
一方、このような便器の排水に関連して、従来技術では自動的に水洗を行うために電気装置を使用した。
【０００５】
換言すると、自動水洗装置は、自動的に水洗を行うためには電源に連結しあるいはバッテリーを使用しなければならない。
【０００６】
このように、従来技術では、電源があるときにだけ動作するため、特別な場所にのみ設置して使用するしかなく、高価格および管理費用の面で問題があり大衆化できないという欠点があった。
【０００７】
また、自動水洗装置は、赤外線センサー適用および電気電子製品であって、外乱光または高湿によるエラーが発生する。しかも、自動水洗装置がバッテリーを使用する場合、バッテリーが完全に消耗すると、水洗が行われないため、次の使用者に不快にする。
【発明の概要】
【発明が解決しようとする課題】
【０００８】
そこで、本発明は、上述した従来技術の問題点を解決するためになされたもので、その目的は、水圧および人体荷重を用いて無電源で便器の自動水洗が行われるようにして電力を節減することができ、バッテリーの使用による環境的な問題を解決するうえ、用便後にトイレットペーパーを捨てる時間まで制御することができてより環境に優しい、水圧および人体荷重を用いた便器の無電源自動水洗装置付き便座およびその制御方法を提供することにある。
【０００９】
また、本発明の他の目的は、大便か小便かを区分しそれに対応して自動的に水洗が行われるようにすることにより、便器の種類によっては水を３０〜５０％まで節約することができるので、環境を保護するうえ、水資源を節約することができる、水圧および人体荷重を用いた便器の無電源自動水洗装置付き便座およびその制御方法を提供することにある。
【課題を解決するための手段】
【００１０】
図１は本発明の第１実施例に係る、水圧および人体荷重を用いた便器の無電源自動水洗装置付き便座のブロック構成図である。
【００１１】
図１に示すように、前記便座は、人体荷重を感知して動作し、水道栓から給水された水を制御弁のオン／オフによって制御して排出させる人体荷重センサーおよび水路制御部３００と；水圧および便器種類の排水量に合わせて、前記人体荷重センサーおよび水路制御部３００の制御弁から水路を介して通過する水の量を調節するチェック弁ユニット４００と；前記人体荷重センサーおよび水路制御部３００で人体荷重を感知すると、前記人体荷重センサーおよび水路制御部３００から供給された水の水圧によって動作して自動的に自動水洗装置へ給水するシリンダー動作部５００と；を含んでなることを特徴とする。
【００１２】
図２は図１の構成例を示す概念図である。
【００１３】
図２に示すように、前記人体荷重センサーおよび水路制御部３００は、人体荷重を感知し、感知結果に応じて動作する人体荷重スイッチ３１０と；前記人体荷重スイッチ３１０がターンオンされるとオンになり、給水された水を前記シリンダー動作部５００へ配管を介して供給して前記シリンダー動作部５００が水圧によって動作するようにするシリンダー前進時給水制御弁３２０と；前記人体荷重スイッチ３１０がターンオンされるとオフになり、給水された水を前記シリンダー動作部５００内の水洗開閉弁５２０へ配管を介して供給する水洗給水制御弁３４０と；前記人体荷重スイッチ３１０がターンオンされるとオフになり、給水された水を前記チェック弁ユニット４００のシリンダー後進時退水チェック弁４２０へ配管を介して供給して水が退水されるようにするシリンダー後進時退水制御弁３６０と；を含んでなることを特徴とする。
【００１４】
前記チェック弁ユニット４００は、前記人体荷重センサーおよび水路制御部３００内のシリンダー後進時退水制御弁３６０がターンオンされると、配管を介して水の供給を受けて退水させるシリンダー後進時退水チェック弁４２０；を含んでなることを特徴とする。
【００１５】
前記シリンダー動作部５００は、前記人体荷重センサーおよび水路制御部３００内のシリンダー前進時給水制御弁３２０がターンオンされると、配管を介してシリンダー動作部５００は水の供給を受け、供給された水の水圧によって前進し、シリンダーロッド５１０の前進方向に応じてシリンダーロッド５１０の前進方向の末端部分に位置して水洗開閉弁５２０を制御する水洗制御突起５１１を備えたシリンダーロッド５１０と；前記水洗制御突起５１１の前進動作によって持ち上げられ、前記人体荷重センサーおよび水路制御部３００内の水洗給水制御弁３４０から供給される水が自動水洗装置へ給水されるようにする水洗開閉弁棒５２１を備えた水洗開閉弁５２０と；前記人体荷重センサーおよび水路制御部３００内の人体荷重スイッチ３１０がターンオフされるときに前記シリンダーロッド５１０を後進させるバネ５４０と；を含んでなることを特徴とする。
【００１６】
図３は図１の便座を建物直水型便器に使用する場合の例を示すブロック構成図である。
図３に示すように、本発明は、建物直水型便器洗浄弁の上部のピストン内部圧力室から水の供給を受け、供給された水を制御弁のオン／オフによって制御し、上部ピストン内部圧力室から供給される水より少ない量を排出させる人体荷重センサーおよび水路制御部３００と；水圧および便器種類の排水量に合わせて、前記人体荷重センサーおよび水路制御部３００の制御弁から水路を介して通過する水の量を調節するチェック弁ユニット４００と；前記人体荷重センサーおよび水路制御部３００で人体荷重を感知すると、前記人体荷重センサーおよび水路制御部３００から供給された水の水圧によって動作して前記ピストン内部圧力室からの水の量に対応する所定量の水を退水させて自動水洗が行われるようにするシリンダー動作部５００と；を含んでなることを特徴とする、水圧および人体荷重を用いた便器の無電源自動水洗装置付き便座を提供する。
図４は本発明の第１実施例に係る、水圧および人体荷重を用いた便器の無電源自動水洗装置付き便座の制御方法を示すフローチャートである。
図４に示すように、本発明は、チェック弁ユニット４００を水圧および便器種類の排水量に合わせて調節し、人体荷重センサーおよび水路制御部３００の制御が行われるようにする設定段階（ＳＴ１）と；人体荷重センサーおよび水路制御部３００がターンオンされて作動すると、シリンダー動作部５００に給水された水の水圧によって前記シリンダー動作部５００内のシリンダーロッド５１０を前進させる前進段階（ＳＴ２〜ＳＴ５）と；人体荷重が除去されたことを前記人体荷重センサーおよび水路制御部３００で判別すると、前記シリンダーロッド５１０を後進させて自動水洗装置へ水を給水させる給水段階（ＳＴ６、ＳＴ７）と；を含んでなることを特徴とする、水圧および人体荷重を用いた便器の無電源自動水洗装置付き便座の制御方法を提供する。
前記設定段階では、水圧および便器種類の排水量に合わせて前記チェック弁ユニット４００のシリンダー後進時退水チェック弁４２０を調節することを特徴とする。
前記設定段階では、前記人体荷重センサーおよび水路制御部３００の設定の際に、人体荷重スイッチ３１０はオフ、シリンダー前進時給水制御弁３２０はオフ、水洗給水制御弁３４０はオン、シリンダー後進時退水制御弁３６０はオンにそれぞれ設定することを特徴とする。
前記前進段階は、前記人体荷重センサーおよび水路制御部３００内の人体荷重スイッチ３１０がターンオンされると動作することを特徴とする。
前記前進段階では、前記人体荷重センサーおよび水路制御部３００の作動の際に、人体荷重スイッチ３１０はオン、シリンダー前進時給水制御弁３２０はオフ、水洗給水制御弁３４０はオフ、シリンダー後進時退水制御弁３６０はオフにそれぞれ変更されるようにすることを特徴とする。
前記前進段階では、前記人体荷重センサーおよび水路制御部３００内のシリンダー前進時給水制御弁３２０のオン状態によって給水された水が前記シリンダー動作部５００内のシリンダーロッド５１０へ配管を介して伝達されるようにして、伝達された水の水圧によって前記シリンダーロッド５１０を前進させることを特徴とする。
前記前進段階では、前記シリンダーロッド５１０が前進するとき、前記シリンダーロッド５１０の水洗制御突起５１１が水洗開閉弁５２０の水洗開閉弁棒５２１を押し上げ、前記水洗開閉弁５２０をターンオンさせるが、水洗給水制御部弁３４０がターンオフされて人体荷重スイッチ３１０がターンオンされるときは水の給水を防止することを特徴とする。
前記給水段階は、前記人体荷重センサーおよび水路制御部３００内の人体荷重スイッチ３１０がターンオフされると動作することを特徴とする。
前記給水段階では、前記人体荷重センサーおよび水路制御部３００内の水洗給水制御弁３４０がターンオンされるようにして、前記シリンダー動作部５００内の水洗開閉弁５２０を介して自動水洗装置へ水を給水させることを特徴とする。
前記給水段階では、自動水洗装置へ水を給水させるとき、前記シリンダーロッド５１０がバネ５４０によって後進するようにすることを特徴とする。
【００１７】
図５は本発明の第２実施例に係る、水圧および人体荷重を用いた便器の無電源自動水洗装置付き便座のブロック構成図である。
【００１８】
図５に示すように、本発明は、水道栓から給水されて配管を介して供給された水を濾過するフィルター１００と；前記フィルター１００から配管を介して水の供給を受け、一定の水圧に変換させる減圧弁２００と；人体荷重を感知して動作し、前記減圧弁２００から供給された水の給水を水路配管を介して受け、制御弁のオン／オフによって制御して排出させる人体荷重センサーおよび水路制御部３００と；水圧および便器種類の排水量に合わせて、前記人体荷重センサーおよび水路制御部３００の制御弁から水路を介して通過する水の量を調節するチェック弁ユニット４００と；前記人体荷重センサーおよび水路制御部３００で人体荷重を感知すると、前記人体荷重センサーおよび水路制御部３００から供給された水の水圧によって動作して自動的に自動水洗装置へ給水するシリンダー動作部５００と；を含んでなることを特徴とする、水圧および人体荷重を用いた便器の無電源自動水洗装置付き便座を提供する。
前記水圧および人体荷重を用いた便器の無電源自動水洗装置付き便座は、前記チェック弁ユニット４００によって手動レバー６３０による水洗時の水量が設定されるようにし、前記手動レバー６３０を回すと、自動水洗装置へ給水して水洗が行われるようにする手動レバー部６００；をさらに含んでなることを特徴とする。
図７は図５および図６の人体荷重センサーおよび水路制御部の詳細概念図である。
図７に示すように、前記人体荷重センサーおよび水路制御部３００は、人体荷重を感知し、その感知結果に応じて動作する人体荷重スイッチ３１０と；前記人体荷重スイッチ３１０がターンオンされるとオンになり、給水された水を前記シリンダー動作部５００へ配管を介して供給して前記シリンダー動作部５００が水圧によって前進動作するようにするシリンダー前進時給水制御弁３２０と；前記人体荷重スイッチ３１０がターンオンされるとオフになり、給水された水を前記シリンダー動作部５００へ配管を介して供給して前記シリンダー動作部５００が水圧によって後進動作するようにするシリンダー後進時給水制御弁３３０と；前記人体荷重スイッチ３１０がターンオンされるとオフになり、給水された水を前記シリンダー動作部５００内の選択開閉弁５２２へ配管を介して供給する選択給水制御弁３４１と；前記人体荷重スイッチ３１０がターンオンされるとオンになり、給水された水を前記チェック弁ユニット４００のシリンダー後進時退水チェック弁４２０へ配管を介して供給して前記シリンダー動作部５００内のシリンダーロッド５１０の前進時に水が退水されるようにするシリンダー前進時退水制御弁３５０と；前記人体荷重スイッチ３１０がターンオンされるとオフになり、給水された水を前記チェック弁ユニット４００のシリンダー後進時退水チェック弁４２０へ配管を介して供給して前記シリンダー動作部５００内のシリンダーロッド５１０の後進時に水が退水されるようにするシリンダー後進時退水制御弁３６０と；を含んでなることを特徴とする。
図８は図５および図６のチェック弁ユニットの詳細概念図である。
図８に示すように、前記チェック弁ユニット４００は、前記人体荷重センサーおよび水路制御部３００内のシリンダー前進時退水制御弁３５０がターンオンされると、配管を介して水の供給を受けて退水させるシリンダー前進時退水チェック弁４１０と；前記人体荷重センサーおよび水路制御部３００内のシリンダー後進時退水制御弁３６０がターンオンされると、配管を介して水の供給を受けて退水させるシリンダー後進時退水チェック弁４２０と；前記シリンダー動作部５００内の水洗遅延時間調節弁５３０に連結され、水洗遅延時間を調節する水洗遅延時間チェック弁４３０と；手動レバー部６００に連結され、前記手動レバー部６００による水量を調節する手動レバー水量チェック弁４４０と；を含んでなることを特徴とする。
図９は図５および図６のシリンダー動作部の詳細概念図である。
図９に示すように、前記シリンダー動作部５００は、前記人体荷重センサーおよび水路制御部３００内のシリンダー前進時給水制御弁３２０がターンオンされると、配管を介して水の供給を受け、供給された水の水圧によって前進し、シリンダーロッド５１０の前進方向に応じてシリンダーロッド５１０の前進方向の末端部分に位置して選択開閉弁５２２を開き使用者が小便をする場合には便器を動作させる第１突起５１２、シリンダーロッド５１０の前進方向に応じて前記第１突起より前進方向の後ろに位置して前記選択開閉弁５２２を開き使用者が大便をする場合に応じて便器を動作させる第２突起５１３、および水洗遅延時間調節弁５３０を開いて水洗動作を制御する第３突起５１４を備えたシリンダーロッド５１０と;前記シリンダーロッド５１０の前進動作によって持ち上げられ、前記人体荷重センサーおよび水路制御部３００内の選択給水制御弁３４１から供給される水が自動水洗装置へ給水されるようにする選択開閉弁棒５２３を備えた選択開閉弁５２２と；前記シリンダーロッド５１０の前進動作によって持ち上げられる水洗遅延時間調節棒５３１を備え、前記チェック弁ユニット４００内の水洗遅延時間チェック弁４４０の調節によって通過する水の量を調節することにより、遅延時間を考慮して自動水洗が行われるようにする水洗遅延時間調節弁５３０と；を含んでなることを特徴とする。
前記シリンダー動作部５００は、前記人体荷重センサーおよび水路制御部３００内の人体荷重スイッチ３１０がターンオフされるときに前記シリンダーロッド５１０を後進させるバネ５４０；をさらに含んでなることを特徴とする。
前記シリンダー動作部５００は、前記第１突起５１２は前記シリンダーロッド５１０に固定されるように、前記第２突起５１３は前記シリンダーロッド５１０上でスライドされるように構成されたことを特徴とする。
図１０は図５および図６の手動レバー部の詳細概念図である。
図１０に示すように、前記手動レバー部６００は、前記手動レバー部６００内に設けられ、配管を介して給水される水を含有した部分および手動レバーシリンダーロッド６２０が位置した部分を塞ぐゴムパッキング６１０と；前記ゴムパッキング６１０に連結され、手動レバー６３０の動作の際に前記ゴムパッキング６１０を開き、給水された水が自動水洗装置へ給水されるようにする手動レバーシリンダーロッド６２０と；回転の際に手動レバーカム６３１の回転動作によって前記シリンダーロッド６２０を動作させて前記ゴムパッキング６１０を開き、給水された水が自動水洗装置へ給水されるように操作することを可能にする手動レバー６３０と；前記シリンダーロッド６２０に連結され、自動水洗装置への給水の後に前記ゴムパッキング６１０が閉じるようにする手動レバーバネ６４０と；を含んでなることを特徴とする。
図１１は図５の便座を建物直水型便器に使用する場合の例を示すブロック構成図である。
図１１に示すように、本発明は、建物直水型便器洗浄弁の上部のピストン内部圧力室から水の供給を受け、供給された水を濾過するフィルター１００と；前記フィルター１００から配管を介して水の供給を受け、一定の水圧に変換させる減圧弁２００と；人体荷重を感知して動作し、前記減圧弁２００から供給された水の給水を水路配管を介して受け、制御弁のオン／オフによって制御してピストン内部圧力室からの水より少ない量を排出させる人体荷重センサーおよび水路制御部３００と；水圧および便器種類の排水量に合わせて、前記人体荷重センサーおよび水路制御部３００の制御弁から水路を介して通過する水の量を調節するチェック弁ユニット４００と；前記人体荷重センサーおよび水路制御部３００で人体荷重を感知すると、前記人体荷重センサーおよび水路制御部３００から供給された水の水圧によって動作し、前記ピストン内部圧力室から供給される水の量に対応する一定量の水を退水させて自動水洗が行われるようにするシリンダー動作部５００と；を含んでなることを特徴とする、水圧および人体荷重を用いた便器の無電源自動水洗装置付き便座を提供する。
図１２は本発明の第２実施例に係る、水圧および人体荷重を用いた便器の無電源自動水洗装置付き便座の制御方法を示すフローチャートである。
図１２に示すように、本発明は、チェック弁ユニット４００を水圧および便器種類の排水量に合わせて調節し、人体荷重センサーおよび水路制御部３００の設定が行われるようにする設定段階（ＳＴ１１）と；水道栓から配管を介して供給された水を濾過するフィルター段階（ＳＴ１２）と；供給された水を一定の水圧に変換させる減圧段階（ＳＴ１３）と；人体荷重センサーおよび水路制御部３００がターンオンされて作動すると、シリンダー動作部５００に給水された水の水圧を用いて前記シリンダー動作部５００内のシリンダーロッド５１０を前進させながら大便か小便かの区分および水洗遅延時間区分を行う前進段階（ＳＴ１４〜ＳＴ１６）と；人体荷重が除去されたことを前記人体荷重センサーおよび水路制御部３００で判別すると、前記シリンダーロッド５１０を後進させながら、区分された大小便、水洗遅延時間に応じて自動水洗装置へ水を給水させる給水段階（ＳＴ１７、ＳＴ１８）と；を含んでなる、水圧および人体荷重を用いた便器の無電源自動水洗装置付き便座の制御方法を提供する。
【００１９】
前記設定段階では、水圧および便器種類の排水量に合わせて、前記チェック弁ユニット４００のシリンダー前進時退水チェック弁４１０、シリンダー後進時退水チェック弁４２０、水洗遅延時間チェック弁４３０および手動レバー水量チェック弁４４０のうちの少なくとも一つを調節する。
前記設定段階では、前記人体荷重センサーおよび水路制御部３００の設定の際に、人体荷重スイッチ３１０はオフ、シリンダー前進時給水制御弁３２０はオフ、シリンダー後進時給水制御弁３３０はオン、選択給水制御弁３４１はオン、シリンダー前進時退水制御弁３５０はオフ、シリンダー後進時退水制御弁３６０はオンにそれぞれ設定する。
前記前進段階は、前記人体荷重センサーおよび水路制御部３００内の人体荷重スイッチ３１０がターンオンされると動作する。
前記前進段階では、前記人体荷重センサーおよび水路制御部３００の作動の際に、人体荷重スイッチ３１０はオン、シリンダー前進時給水制御弁３２０はオン、シリンダー後進時給水制御弁３３０はオフ、選択給水制御弁３４１はオフ、シリンダー前進時退水制御弁３５０はオン、シリンダー後進時退水制御弁３６０はオフにそれぞれ変更されるようにする。
前記前進段階では、前記人体荷重センサーおよび水路制御部３００内のシリンダー前進時給水制御弁３２０のオン状態によって給水された水が前記シリンダー動作部５００内のシリンダーロッド５１０の前部分に配管を介して伝達されるようにして、伝達された水の水圧によって前記シリンダーロッド５１０を前進させる。
前記前進段階では、前記シリンダーロッド５１０が前進するとき、前記シリンダーロッド５１０の第１突起５１２と第２突起５１３によって小便か大便かを区分するようにし、第３突起５１４によって水洗遅延時間を区分する。
前記前進段階における大小便の区分は、前記チェック弁ユニット４００内のシリンダー前進時退水チェック弁４１０の調節によって行われる。
前記前進段階における大小便の区分は、前記人体荷重センサーおよび水路制御部３００内の人体荷重スイッチ３１０がターンオンされた後、５秒〜２０秒以上５０秒〜８０秒以下であれば、小便として判断して小便に相応する自動水洗が行われるようにし、５０秒〜８０秒以上であれば、大便として判断して大便に相応する自動水洗が行われるようにする。
前記給水段階は、前記人体荷重センサーおよび水路制御部３００内の人体荷重スイッチ３１０がターンオフされると動作することを特徴とする。
前記給水段階では、前記人体荷重センサーおよび水路制御部３００内の選択給水制御弁３４１がターンオンされるようにして、前記シリンダー動作部５００内の選択開閉弁５２２を介して自動水洗装置へ水を給水させることを特徴とする。
前記給水段階では、自動水洗装置へ水を給水させるとき、前記シリンダーロッド５１０がバネ５４０によって後進するようにすることを特徴とする。
【発明の効果】
【００２０】
上記目的を達成するために、本発明は、水圧および人体荷重を用いた便器の無電源自動水洗装置付き便座およびその制御方法を提供する。本発明の便座は、無電源によって消費電力を節減することができ、バッテリーの使用による環境的な問題を解消することができるうえ、用便後のトイレットペーパーを捨てる時間まで制御することができより環境に優しいという効果がある。
【００２１】
また、本発明に係る便座は、大便か小便かを区分しそれに対応して自動的に水洗が行われるようにすることにより、便器の種類によっては水を３０〜５０％まで節約することができるので、環境を保護するうえ、水資源を節約することができるという効果がある。
【図面の簡単な説明】
【００２２】
【図１】本発明の第１実施例に係る、水圧および人体荷重を用いた便器の無電源自動水洗装置付き便座を示すブロック構成図である。
【図２】図１の一構成例を示す概念図である。
【図３】図１の便座を建物直水型便器に使用する場合の例を示すブロック構成図である。
【図４】本発明の第１実施例に係る、水圧および人体荷重を用いた便器の無電源自動水洗装置付き便座の制御方法を示すフローチャートである。
【図５】本発明の第２実施例に係る            、水圧および人体荷重を用いた便器の無電源自動水洗装置付き便座を示すブロック構成図である。
【図６】図５の一構成例を示す概念図である。
【図７】図５および図６の人体荷重センサーおよび水路制御部を示す詳細概念図である。
【図８】図５および図６のチェック弁ユニットを示す詳細概念図である。
【図９】図５および図６のシリンダー動作部を示す詳細概念図である。
【図１０】図５および図６の手動レバー部を示す詳細概念図である。
【図１１】図５の便座を建物直水型便器に使用する場合の例を示すブロック構成図である。
【図１２】本発明の第２実施例に係る、水圧および人体荷重を用いた便器の無電源自動水洗装置付き便座の制御方法を示すフローチャートである。
【発明を実施するための形態】
【００２３】
以下、上述したように構成された本発明に係る水圧および人体荷重を用いた便器の無電源自動水洗装置付き便座およびその制御方法の好適な実施例を添付図面に基づいて詳細に説明する。下記で本発明を説明するにおいて、関連した公知の機能または構成に対する具体的な説明が本発明の要旨を乱すおそれがあると判断される場合にはその詳細な説明を省略する。そして、後述の用語は本発明における機能を考慮して定義された用語であって、これは使用者または運用者の意図または習慣などによって異なり、これにより各用語の意味は本明細書全般にわたっての内容に基づいて解釈されるべきであろう。
まず、本発明は水圧および人体荷重を用いて無電源で便器の自動水洗が行われるようにしようとしたものである。このような本発明の動作を実施例によって詳細に説明する。
【実施例１】
【００２４】
図１は本発明の第１実施例に係る、水圧および人体荷重を用いた便器の無電源自動水洗装置付き便座のブロック構成図である。
本発明において、人体荷重センサーおよび水路制御部３００は、人体荷重を感知して動作し、配管を介して給水された水を制御弁のオン／オフによって制御して排出させる。
チェック弁ユニット４００は、水圧および便器種類の排水量に合わせて人体荷重センサーおよび水路制御部３００の制御弁を調節するようにする。
シリンダー動作部５００は、人体荷重センサーおよび水路制御部３００で人体荷重を感知すると、人体荷重センサーおよび水路制御部３００から供給された水の水圧によって動作して自動的に自動水洗装置へ給水する。
図２は図１の一構成例を示す概念図である。
人体荷重センサーおよび水路制御部３００は、人体荷重スイッチ３１０、シリンダー前進時給水制御弁３２０、水洗給水制御弁３４０、およびシリンダー後進時退水制御弁３６０を備える。したがって、人体荷重センサーおよび水路制御部３００は一体型に構成することができる。よって、人体荷重スイッチ３１０、シリンダー前進時給水制御弁３２０、水洗給水制御弁３４０およびシリンダー後進時退水制御弁３６０のオン／オフ動作は、予め設定されたオンまたはオフ値に応じて共に動作する。
この際、人体荷重スイッチ３１０は、人体荷重を感知して動作するもので、人などが便器に着座したか否かを判別する。
シリンダー前進時給水制御弁３２０は、人体荷重スイッチ３１０がターンオンされるとオンになり、給水された水をシリンダー動作部５００へ配管を介して供給してシリンダー動作部５００が水圧によって動作するようにする。
水洗給水制御弁３４０は、人体荷重スイッチ３１０がターンオンされるとオフになり、給水された水をシリンダー動作部５００内の水洗開閉弁５２０へ配管を介して供給する。
シリンダー後進時退水制御弁３６０は、人体荷重スイッチ３１０がターンオンされるとオフになり、給水された水をチェック弁ユニット４００のシリンダー後進時退水チェック弁４２０へ配管を介して供給して水が退水されるようにする。
また、チェック弁ユニット４００は、人体荷重センサーおよび水路制御部３００内のシリンダー後進時退水制御弁３６０がターンオンされると、配管を介して水の供給を受け、退水させるシリンダー後進時退水チェック弁４２０を備えて構成することができる。
また、シリンダー動作部５００は、シリンダーロッド５１０、水洗開閉弁５２０およびバネ５３０を含んで構成することができる。
シリンダーロッド５１０は、人体荷重センサーおよび水路制御部３００内のシリンダー前進時給水制御弁３２０がターンオンされると、配管を介してシリンダー動作部５００が水の供給を受け、供給された水の水圧によって前進し、シリンダーロッド５１０の前進方向に応じて前進方向の末端部分に位置して水洗開閉弁５２０を制御する水洗制御突起５１１を備えて構成することができる。
水洗制御突起５１１は、シリンダーロッド５１０の末端に位置し、シリンダーロッド５１０に固定されるように構成することができる。
水洗開閉弁５２０は、水洗制御突起５１１の前進動作によって持ち上げられ、人体荷重センサーおよび水路制御部３００内の水洗給水制御弁３４０から供給される水が自動流し装置へ給水されるようにする水洗開閉弁棒５２１を備えて構成する。
バネ５４０は、人体荷重センサーおよび水路制御部３００内の人体荷重スイッチ３１０がターンオフされるときにシリンダーロッド５１０を後進させる。
図３は図１の便座を建物直水型便器に使用する場合の例を示すブロック構成図である。
このような図３の動作は図１および図２のそれと同様である。但し、図１および図２とは異なり、図３では、人体荷重センサーおよび水路制御部３００は、建物直水型便器洗浄弁の上部のピストン内部圧力室から水の供給を受け、供給された水を制御弁のオン／オフによって制御して、ピストン内部圧力室から供給される水より少ない量で水洗なしに排出させる。また、シリンダー動作部５００は、人体荷重センサーおよび水路制御部３００から供給された水の水圧によって動作し、建物直水型便器洗浄弁の上部のピストン内部圧力室の水を退水させて自動水洗が行われるようにする。
図４は本発明の第１実施例に係る、水圧および人体荷重を用いた便器の無電源自動水洗装置付き便座およびその制御方法を示す流れ図である。
まず、チェック弁ユニット４００を水圧および便器種類の排水量に合わせて調節し、人体荷重センサーおよび水路制御部３００の設定が行われるようにする（ＳＴ１）。
この際、水圧および便器種類の排水量に合わせてチェック弁ユニット４００のシリンダー後進時退水チェック弁４２０を調節する。
また、人体荷重センサーおよび水路制御部３００の設定時、すなわち人体が無電源自動水洗装置から離脱した状態である平常時の場合、人体荷重スイッチ３１０はオフ、シリンダー前進時給水制御弁３２０はオフ、水洗給水制御弁３４０はオン、シリンダー後進時退水制御弁３６０はオンにそれぞれ設定する。それぞれの設定状態を表でまとめると、次のとおりである。
【００２５】
【表１】
2011511189.tif 000003
【００２６】
人が便器に座って人体荷重が無電源自動水洗装置付き便座に加えられる場合には、人体荷重センサーおよび水路制御部３００がターンオンされて作動する。人体荷重センサーおよび水路制御部３００内の人体荷重スイッチ３１０がターンオンされると、自動水洗装置は人が無電源自動水洗装置付き便座に座って用便をするものと判断して動作する（ＳＴ２）。
この際、表１のように、人体荷重センサーおよび水路制御部３００の作動の際に、人体荷重スイッチ３１０はオン、シリンダー前進時給水制御弁３２０は表１に示すようにオフ、水洗給水制御弁３４０はオフ、シリンダー後進時退水制御弁３６０はオフにそれぞれ変更される（ＳＴ３）。
すると、人体荷重センサーおよび水路制御部３００内のシリンダー前進時給水制御弁３２０のオン状態によって給水された水がシリンダー動作部５００内のシリンダーロッド５１０へ配管を介して伝達されるようにして、伝達された水の水圧によってシリンダーロッド５１０を前進させる（ＳＴ４）。
シリンダーロッド５１０が前進するとき、シリンダーロッド５１０の水洗制御突起５１１が水洗開閉弁５２０の水洗開閉弁棒５２１を押し上げて水洗開閉弁５２０をターンオンさせる（ＳＴ５）。
この際、シリンダーロッド５１０の前進時、水洗制御突起５１１が水洗開閉弁５２を開くが、人体荷重センサーおよび水路制御部３００内の水洗給水制御弁３４０がオフ状態になっており、まだ水洗が行われていない。
その後、使用者が用便をしてから無電源自動水洗装置付き便座から立ち上がると、人体荷重センサーおよび水路制御部３００内の人体荷重スイッチ３１０がターンオフされる（ＳＴ６）。
次いで、人体荷重センサーおよび水路制御部３００内の水洗給水制御弁３４０がターンオンされるようにして、シリンダー動作部５００内の水洗開閉弁５２０を介して自動水洗装置へ水を給水させる。このように自動水洗装置へ水を給水させるとき、シリンダーロッド５１０はバネ５４０によって後進する（ＳＴ７）。
【実施例２】
【００２７】
図５は本発明の第２実施例に係る、水圧および人体荷重を用いた便器の無電源自動水洗装置付き便座のブロック構成図である。図６は図５の一構成例を示す概念図である。
第２実施例では、フィルター１００は、メイン給水配管を介して供給された水を濾過する。よって、既存の水道配管に連結された給水ホースを、便器の種類による排水量に相応する容量のフィルター１００に連結することにより、メイン給水の供給を受けるようにする。好ましくは、フィルター１００は、消費者が容易に手でフィルター１００のケース（図示せず）内の濾過網（図示せず）を取り外して異物などを除去した後、さらに組み立てて使用することが可能なフィルターを適用することができる。
また、減圧弁２００は、フィルター１００から供給された水を配管を介して受け、一定の水圧に変換させて人体荷重センサーおよび水路制御部３００へ供給する。このような減圧弁２００は、便器に供給される水の水圧が高い場合、予め設定されている一定の水圧に低下させる弁である。例えば、供給される水の水圧が１０ｋｇ／ｆの場合、減圧弁２００を介して１．５ｋｇ／ｆに低下させることができる。もし減圧弁２００を使用しない場合、供給される水の水圧が各建物または家庭で一定ではないが、このため、それぞれの建物または家庭に供給される水の水圧に合わせて各々のチェック弁の開く角度を調節しなければならないという不便さがある。よって、減圧弁２００を使用すると、このような煩わしさを解消することができる。その上、開く角度を誤って設定したとすると、水洗の水量が多くて水を浪費しあるいは水洗の水量が少なくて便器が詰まる問題点も解消することができる。 
人体荷重センサーおよび水路制御部３００は、人体荷重を感知して動作し、減圧弁２００から供給された水を配管を介して受け、制御弁のオン／オフによって制御して排出させる。
チェック弁ユニット４００は、水圧および便器種類の排水量に合わせて人体荷重センサーおよび水路制御部３００の制御弁を調節する。
シリンダー動作部５００は、人体荷重センサーおよび水路制御部３００で人体荷重を感知すると、人体荷重センサーおよび水路制御部３００から供給された水の水圧によって動作して自動的に自動水洗装置へ給水する。
手動レバー部６００は、チェック弁ユニット４００によって手動レバー６３０による水洗時の水量が設定されるようにするとともに、手動レバー６３０を回すと、手動レバー部６００は自動水洗装置へ給水して水洗が行われるようにする。
図７は図５および図６の人体荷重センサーおよび水路制御部の詳細概念図である。
人体荷重センサーおよび水路制御部３００は、人体荷重スイッチ３１０、シリンダー前進時給水制御弁３２０、シリンダー後進時給水制御弁３３０、選択給水制御弁３４１、シリンダー前進時退水制御弁３５０、およびシリンダー後進時退水制御弁３６０から構成することができる。このようなそれぞれのスイッチと弁３１０〜３６０は互いに一体型に構成することができる。よって、人体荷重スイッチ３１０、シリンダー前進時給水制御弁３２０、シリンダー後進時給水制御弁３３０、選択給水制御弁３４１、シリンダー前進時退水制御弁３５０、およびシリンダー後進時退水制御弁３６０のオン／オフ動作は、予め設定されたオン／オフ値に応じて共に動作する。
人体荷重スイッチ３１０は人体荷重を感知して動作する。
シリンダー前進時給水制御弁３２０は、人体荷重スイッチ３１０がターンオンされるとオンになり、給水された水をシリンダー動作部５００へ配管を介して供給してシリンダー動作部５００が水圧によって前進動作するようにする。
シリンダー後進時給水制御弁３３０は、人体荷重スイッチ３１０がターンオンされるとオフになり、給水された水をシリンダー動作部５００へ配管を介して供給してシリンダー動作部５００が水圧によって後進動作するようにする。
選択給水制御弁３４１は、人体荷重スイッチ３１０がターンオンされるとオフになり、給水された水を遮断させる。
シリンダー前進時退水制御弁３５０は、人体荷重スイッチ３１０がターンオンされるとオンになり、給水された水をチェック弁ユニット４００のシリンダー後進時退水チェック弁４２０へ配管を介して供給してシリンダー動作部５００内のシリンダーロッド５１０の前進時に水が退水されるようにする。
シリンダー後進時退水制御弁３６０は、人体荷重スイッチ３１０がターンオンされるとオフになり、給水された水を遮断させる。
図８は図５および図６のチェック弁ユニットの詳細概念図である。
チェック弁ユニット４００は、シリンダー前進時退水チェック弁４１０、シリンダー後進時退水チェック弁４２０、水洗遅延時間チェック弁４３０、および手動レバー水量チェック弁４４０から構成することができる。
シリンダー前進時退水チェック弁４１０は、人体荷重センサーおよび水路制御部３００内のシリンダー前進時退水制御弁３５０がターンオンされると、配管を介して水の供給を受けて退水させるようにし、弁の調節程度に応じてシリンダーロッドが前進する時間によって大便か小便かを判断することができる。
シリンダー後進時退水調節弁４２０は、人体荷重センサーおよび水路制御部３００内のシリンダー後進時退水制御弁３６０がターンオンされると、配管を介して水の供給を受けて退水させるもので、弁の調節程度に応じて、水圧または便器種類の排水量の条件によって退水させる水の量を調節することができる。
水洗遅延時間チェック弁４３０は、シリンダー動作部５００内の水洗遅延時間調節弁５３０に連結され、水洗遅延時間、例えば、使用者が用便後にトイレットペーパーを捨てる時間を調節することができるようにする。
手動レバー水量チェック弁４４０は、手動レバー部６００に連結され、手動レバー部６００による水量を調節することができるようにする。
図９は図５および図６のシリンダー動作部の概念図である。
シリンダー動作部５００は、シリンダーロッド５１０、小便か大便かによって作動される選択開閉弁５２２、水洗遅延時間調節弁５３０、およびバネ５４０から構成することができる。
シリンダーロッド５１０は、人体荷重センサーおよび水路制御部３００内のシリンダー前進時給水制御弁３２０がターンオンされると、配管を介して水の供給を受け、供給された水の水圧によって前進する。
使用者が小便をした際の作動のための第１突起５１２は、シリンダーロッド５１０の前進方向シリンダーロッド５１０の前進方向の末端部分に位置し、シリンダーロッド５１０の前進の際に選択開閉弁棒５２３を押し上げて選択開閉弁５２２を開く。
使用者が大便をした際の作動のための第２突起５１３は、シリンダーロッド５１０の前進方向に応じて第１突起５１２より前進方向の後ろ部分に位置し、シリンダーロッド５１０の前進時および後進時に選択開閉弁棒５２３を押し上げて選択開閉弁５２２を開く。
この際、第１突起５１２はシリンダーロッド５１０に固定されるようにし、第２突起５１３はシリンダーロッド５１０でスライドされるようにする。
水洗遅延時間を制御する第３突起５１４はシリンダーロッド５１０に備えられ、シリンダーロッド５１０の前進時に水洗遅延時間調節棒５３１を押し上げて水洗遅延時間調節弁５３０を開く。
選択開閉弁５２２は選択開閉弁棒５２３を備える。選択開閉弁棒５２３は、シリンダーロッド５１０の後進動作によって持ち上げられ、人体荷重センサーおよび水路制御部３００内の選択給水制御弁３４１から供給される水が自動水洗装置へ給水されるようにする。
水洗遅延時間調節弁５３０は、シリンダーロッド５１０の前進動作によって持ち上げられる水洗遅延時間調節棒５３１を備え、チェック弁ユニット４００内の水洗遅延時間チェック弁４４０の調節によって通過する水の量が調節され、水洗遅延時間を考慮して自動水洗が行われるようにする。
バネ５４０は、人体荷重センサーおよび水路制御部３００内の人体荷重スイッチ３１０がターンオフされるとき、シリンダーロッド５１０を後進させる。
図１０は図５および図６の手動レバー部の概念図である。
手動レバー部６００は、ゴムパッキング６１０、手動レバーシリンダーロッド６２０、手動レバー６３０、および手動レバーバネ６４０から構成することができる。
ゴムパッキング６１０は、手動レバー部６００内から配管を介して給水される水を含有した部分、および手動レバーシリンダーロッド６２０が位置した部分を塞ぐ。
手動レバーシリンダーロッド６２０は、ゴムパッキング６１０に連結され、手動レバー６３０の動作の際に手動レバーシリンダーロッド６２０がゴムパッキング６１０を開き、給水された水が自動水洗装置へ給水されるようにする。
手動レバー６３０は、回転の際に手動レバーカム６３１の回転動作によってシリンダーロッド６２０を動作させてゴムパッキング６１０を開き、手動レバー部６００に給水された水が自動水洗装置へ給水されるように操作することを可能にする。
手動レバーバネ６４０は、シリンダーロッド６２０に連結され、自動水洗装置への給水後にゴムパッキング６１０が閉じるようにする。
よって、用便の後、使用者が手動レバー６３０を回すと、手動レバー６３０がカム方式で手動レバーシリンダーロッド６２０を前進させる。すると、ゴムパッキング６１０で塞がれていた弁が開き、手動レバー部６００に給水された水が、ゴムパッキング６１０で塞がれていた部分を通過し、自動水洗装置に連結された配管を介して排出される。
このとき、手動レバー部６００に給水された水のうち、一定量は対応している配管を介して自動水洗装置へ給水され、残りの一定量は手動レバーシリンダーロッド６２０の手動レバー方向に流入する。このように手動レバーシリンダーロッド６２０の手動レバー側に流入した水と手動レバーバネ６４０によってシリンダーロッド６２０は原位置に復帰して水洗動作が止まる。
ここで、ゴムパッキング６１０が開く時間は、チェック弁ユニット４００の手動レバー水量チェック弁４４０によって調節できる。すなわち、手動レバー部から排水される水の量を手動レバー水量チェック弁４４０で調節すると、手動レバーバネ６４０によって手動レバーシリンダーロッド６２０が原位置に復帰する時間を延長または減少させることができるため、大便か小便かによって適切な水洗を行うことができる。
図１１は図５の便座を建物直水型便器に使用する場合の例を示すブロック構成図である。
このような図１１の動作は図５〜図１０における動作と同一である。但し、図５〜１０と異なり、図１１では、フィルター１００は、建物直水型便器洗浄弁の上部のピストン内部圧力室から水の供給を受け、供給された水の異物を濾過し、シリンダー動作部５００は、人体荷重センサーおよび水路制御部３００から供給された水の水圧によって動作して建物直水型便器洗浄弁の上部のピストン内部圧力室からの水を退水させて自動水洗を行う点において差異がある。
図１２は本発明の第２実施例に係る、水圧および人体荷重を用いた便器の無電源自動水洗装置付き便座の制御方法を示すフローチャートである。
まず、チェック弁ユニット４００を水圧および便器種類の排水量に合わせて調節し、人体荷重センサーおよび水路制御部３００の設定が行われるようにする（ＳＴ１１）。
この際、チェック弁ユニット４００では、水圧および便器種類の排水量に合わせてチェック弁ユニット４００のシリンダー前進時退水チェック弁４１０、シリンダー後進時退水チェック弁４２０、水洗遅延時間チェック弁４３０および手動レバー水量チェック弁４４０のうちの少なくとも一つを調節する。このようなそれぞれの弁４１０〜４４０の調節によって、水圧または便器などの条件に応じてそれぞれの状態における時間を調節することができる。
人体荷重センサーおよび水路制御部３００の設定時、すなわち人体が無電源自動水洗装置から離脱した状態である平常時の場合、人体荷重スイッチ３１０はオフ、シリンダー前進時給水制御弁３２０はオフ、シリンダー後進時給水制御弁３３０はオン、選択給水制御弁３４１はオン、シリンダー前進時退水制御弁３５０はオフ、シリンダー後進時退水制御弁３６０はオンにそれぞれ設定する。それぞれの設定状態を表でまとめると、次のとおりである。
【００２８】
【表２】
2011511189.tif 000004
【００２９】
メイン給水配管を介して供給された水からフィルター１００を用いて異物を濾過する（ＳＴ１２）。よって、既存の水道配管に連結された給水ホースを、便器の種類による排水量に相応する容量のフィルター１００に連結することにより、メイン給水の供給を受けるようにする。好ましくはフィルター１００は、消費者が容易に手でフィルター１００のケース（図示せず）内の濾過網（図示せず）を分離して異物などを除去した後、さらにフィルター１００を再び組み立てて使用することが可能なフィルターを適用することができる。
また、供給された水を減圧弁２００を用いて一定の水圧に変換させる（ＳＴ１３）。すなわち、このような減圧弁２００は、便器に給水される水の水圧が比較的高い場合、予めセットされている一定の水圧に変換させる弁である。例えば、便器に給水される水の水圧が１０ｋｇ／ｆの場合、減圧弁２００を介して１．５ｋｇ／ｆに変換することができる。もし減圧弁２００を使用しない場合、給水される水圧が各建物や家庭などで一定ではないが、このため、それぞれの建物または家庭に給水される水の水圧に合わせてチェック弁をそれぞれ開かなければならないという不便さがある。よって、減圧弁２００を使用すると、このような煩わしさを解消することができる。その上、セッティングを間違ったとき、水洗の水量が多くて水を浪費しあるいは水洗の水量が少なくて便器が詰まる問題点も解消することができる。
よって、人が便器に座って人体荷重が無電源自動水洗装置付き便座に加えられる場合には、人体荷重センサーおよび水路制御部３００がターンオンされる。人体荷重センサーおよび水路制御部３００内の人体荷重スイッチ３１０がターンオンされると、自動水洗装置は、人が無電源自動水洗装置付き便座に座って大便または小便をするものと判断して動作する（ＳＴ１４）。
この際、人体荷重センサーおよび水路制御部３００の作動の際に、表２に示すように、人体荷重スイッチ３１０はオン、シリンダー前進時給水制御弁３２０はオン、シリンダー後進時給水制御弁３３０はオフ、選択給水制御弁３４１はオフ、シリンダー前進時退水制御弁３５０はオン、シリンダー後進時退水制御弁３６０はオフにそれぞれ変更されるようにする。
また、人体荷重センサーおよび水路制御部３００内のシリンダー前進時給水制御弁３２０のオン状態によって給水された水がシリンダー動作部５００内のシリンダーロッド５１０の対応している配管を介して伝達されるようにして、伝達された水の水圧によってシリンダーロッド５１０を前進させる（ＳＴ１５）。  
また、シリンダーロッド５１０が前進するとき、前進程度に応じてシリンダーロッド５１０の第１突起５１２と第２突起５１３によって小便か大便かを区分するようにし、第３突起５１４によって水洗遅延時間を区分するようにする（ＳＴ１６）。
この際、大小便の区分は、チェック弁ユニット４００内のシリンダー前進時退水チェック弁４１０の調節によって行われるようにする。また、前進段階における大小便の区分は、人体荷重センサーおよび水路制御部３００内の人体荷重スイッチ３１０がターンオンされた後、５秒〜２０秒以上５０秒〜８０秒以下であれば、小便として判断して小便に相応する自動水洗が行われるようにし、５０秒〜８０秒以上であれば、大便として判断して大便に相応する自動水洗が行われるようにする。すなわち、時間間隔が最大５秒〜８０秒あるいは２０秒〜５０秒であれば、小便として判断して小便に相応する自動水洗が行われるようにし、時間間隔が最小５０秒超過あるいは最大８０秒超過であれば、大便として判断して大便に相応する自動水洗が行われるようにする。よって、人体荷重スイッチ３１０がターンオンされた後５秒以下または２０秒以下であれば、自動水洗を行わなくなり、掃除などの目的で人などが便座にちょっと接した場合には自動水洗動作が行われないため、誤作動も防止することができる。
よって、シリンダーロッド５１０の前進時にはシリンダー前進時給水制御弁３２０がオン状態になって開き、シリンダー前進時給水制御弁３２０に連結されたシリンダー動作部５００のシリンダーロッド５１０の前半部へ配管を介して水が給水される。
さらに、シリンダーロッド５１０の前進時にシリンダーロッド５１０の第１突起５１２と第２突起５１３が選択開閉弁棒５２３を持ち上げて選択開閉弁５２２を開き、水洗遅延時間を制御する第３突起５１４が水洗遅延時間調節棒５３１を持ち上げて水洗遅延時間調節弁５３０を開く。このとき、人体荷重センサーおよび水路制御部３００の選択給水制御弁３４１とシリンダー後進時退水制御弁３６０がオフ状態なので塞がれており、フィルター１００と減圧弁２００を通過して人体荷重センサーおよび水路制御部３００へ供給された水を自動水洗装置に給水していない状態となる。
その後、人体荷重センサーおよび水路制御部３００内の人体荷重スイッチ３１０がターンオフされると、自動水洗動作が行われる（ＳＴ１７）。
よって、自動水洗装置に水を給水させるとき、シリンダーロッド５１０がバネ５４０によって後進するようにし、あるいは人体荷重センサーおよび水路制御部３００の状態変更によって、自動水洗が行われる。また、区分された大小便、水洗遅延時間に応じて自動水洗装置に水を給水させる（ＳＴ１８）。
一方、使用者が用を足して便器から脱座する場合には、次のように動作する。
まず、使用者が小便をして脱座する場合、人体荷重センサーおよび水路制御部３００が表１の状態のように人体離脱時の状態に変更される。これによって、シリンダーロッド５１０が後進する。すなわち、シリンダー前進時給水制御弁３２０のオフ状態によってシリンダーロッド５１０の前半部の水はシリンダー後進時退水チェック弁４２０を介して排出され、シリンダー後進時給水制御弁３３０のオン状態によってシリンダーロッド５１０の後半部には水が給水されてシリンダーロッド５１０が水圧によって後進する。
そして、シリンダーロッド５１０の第３突起５１４が水洗遅延時間調節弁５３０の位置まで前進すると、水洗遅延時間調節棒５３１が第３突起５１４によって押されており水洗遅延時間調節弁５３０が開いている状態なので、一定の水洗遅延時間を確保する。よって、水洗遅延時間チェック弁４３０によってセットされた時間と、小便量としてセットされている時間とが合わせられてシリンダーロッド５１０が速く後進する。
その後、シリンダーロッド５１０が水洗遅延時間調節弁５３０を通り過ぎるまで後進すると、シリンダーロッド５１０に固定されている第１突起５１２が選択開閉弁５２２を押して水洗装置に給水することにより、小便量に相応する自動水洗を行い、小便量に相応する水を流す時間で、シリンダー後進時退水チェック弁４２０によってセットされた時間だけの速度でシリンダーロッド５１０が後進する。
また、使用者が大便をして脱座する場合には、大便量に相応する水が自動水洗されるようにする。
よって、大便量排水の際には、まず、使用者が着座するとき、シリンダーロッド５１０が前進しながら第２突起５１３がシリンダーロッド５１０でスライドされながら選択開閉弁５２２を通り越さずにスライドする。そして、大便量の位置までシリンダーロッド５１０が前進すると、シリンダーロッド５１０の段部に係止されて選択開閉弁５２２を通り越す。
使用者が脱座するとき、人体荷重センサー部３００の状態値が表１に示すように人体離脱時に変換されてシリンダーロッド５１０が後進する。
この際、水洗動作は、小便量における水洗動作と同一の方式で動作するが、但し、シリンダーロッド５１０に固定された第１突起の前に、スライド可能な第２突起５１３が位置しているため、比較的長時間大便量に相応する水洗を行うことができる。
このように、本発明は、水圧および人体荷重を用いて無電源で便器の自動水洗が行われるようにして、無電源によって電力節減を可能にし、水洗を自動的に行いながら大便か小便かを区分し、水洗遅延時間も調節して水を節減させる。
以上、本発明の好適な実施例について説明の目的で開示したが、当業者であれば、添付した請求の範囲に開示された本発明の精神と範囲から逸脱することなく、様々な変形、追加または置換を加え得ることを理解するであろう。
【符号の説明】
【００３０】
１００：フィルター
２００：減圧弁
３００：人体荷重センサーおよび水路制御部
３１０：人体荷重スイッチ
３２０：シリンダー前進時給水制御弁
３３０：シリンダー行進時給水制御弁
３４０：水洗給水制御弁
３４１：選択給水制御弁
３５０：シリンダー前進時退水制御弁
３６０：シリンダー後進時退水制御弁
４００：チェック弁ユニット
４１０：シリンダー前進時退水チェック弁
４２０：シリンダー後進時退水チェック弁
４３０：水洗遅延時間チェック弁
４４０：手動レバー水量チェック弁
５００：シリンダー動作部
５１０：シリンダーロッド
５１１：水洗制御突起
５１２：第１突起
５１３：第２突起
５１４：第３突起
５２０：水洗開閉弁
５２１：水洗開閉弁棒
５２２：選択開閉弁
５２３：選択開閉弁棒
５３０：水洗時間調節弁
５３１：水洗時間調節棒
５４０：バネ
６００：手動レバー部
６１０：ゴムパッキング
６２０：手動レバーシリンダーロッド
６３０：手動レバー
６３１：手動レバーカム
６４０：手動レバーバネ
【図１】
2011511189.tif 000005
【図２】
2011511189.tif 000006
【図３】
2011511189.tif 000007
【図４】
2011511189.tif 000008
【図５】
2011511189.tif 000009
【図６】
2011511189.tif 000010
【図７】
2011511189.tif 000011
【図８】
2011511189.tif 000012
2011511189.tif 000013
【図９】
2011511189.tif 000014
【図１０】
2011511189.tif 000015
【図１１】
2011511189.tif 000016
【図１２】
2011511189.tif 000017
【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
人体荷重を感知して動作し、配管を介して給水された水を制御弁のオン／オフによって制御して排出させる人体荷重センサーおよび水路制御部（３００）と；
水圧および便器種類の排水量に合わせて、前記人体荷重センサーおよび水路制御部（３００）の制御弁から水路を介して通過する水の量を調節するチェック弁ユニット（４００）と；
前記人体荷重センサーおよび水路制御部（３００）で人体荷重を感知すると、前記人体荷重センサーおよび水路制御部（３００）から供給された水の水圧によって動作して自動的に自動水洗装置へ給水するシリンダー動作部（５００）と；を含んでなることを特徴とする、水圧および人体荷重を用いた便器の無電源自動水洗付き便座。
【請求項２】
前記人体荷重センサーおよび水路制御部（３００）は、
人体荷重を感知し、感知結果によって動作する人体荷重スイッチ（３１０）と；
前記人体荷重スイッチ（３１０）がターンオンされるとオンになり、給水された水を前記シリンダー動作部（５００）へ配管を介して供給して前記シリンダー動作部（５００）が水圧によって前進動作するようにするシリンダー前進時給水制御弁（３２０）と；
前記人体荷重スイッチ（３１０）がターンオンされるとオフになり、給水された水を前記シリンダー動作部（５００）内の水洗開閉弁（５２０）へ配管を介して供給する水洗給水制御弁（３４０）と；
前記人体荷重スイッチ（３１０）がターンオンされるとオフになり、給水された水を前記チェック弁ユニット（４００）のシリンダー後進時退水チェック弁（４２０）へ配管を介して供給して水が退水されるようにするシリンダー後進時退水制御弁（３６０）と；を含んでなることを特徴とする、請求項１に記載の水圧および人体荷重を用いた便器の無電源自動水洗付き便座。
【請求項３】
前記チェック弁ユニット（４００）は、
前記人体荷重センサーおよび水路制御部（３００）内のシリンダー後進時退水制御弁（３６０）がターンオンされると、対応している配管を介して水の供給を受けて退水させるシリンダー後進時退水チェック弁（４２０）；を含んでなることを特徴とする、請求項１に記載の水圧および人体荷重を用いた便器の無電源自動水洗付き便座。
【請求項４】
前記シリンダー動作部（５００）は、
前記人体荷重センサーおよび水路制御部（３００）内のシリンダー前進時給水制御弁（３２０）がターンオンされると、配管を介して前記シリンダー動作部（５００）は水の供給を受け、供給された水の水圧によって前進し、シリンダーロッド（５１０）の前進方向のシリンダーロッド（５１０）の末端部分に位置して水洗開閉弁（５２０）を開く水洗制御突起（５１１）を備えたシリンダーロッド（５１０）と；
前記水洗制御突起（５１１）の前進動作によって持ち上げられ、前記人体荷重センサーおよび水路制御部（３００）内の水洗給水制御弁（３４０）から供給される水が自動水洗装置へ給水されるようにする水洗開閉弁棒（５２１）を備えた水洗開閉弁（５２０）と；
前記人体荷重センサーおよび水路制御部（３００）内の人体荷重スイッチ（３１０）がターンオフされるときに前記シリンダーロッド（５１０）を後進させるバネ（５４０）と；を含んでなることを特徴とする、請求項１または２に記載の水圧および人体荷重を用いた便器の無電源自動水洗付き便座。
【請求項５】
チェック弁ユニット（４００）を水圧および便器種類の排水量に合わせて調節し、人体荷重センサーおよび水路制御部（３００）の制御が行われるようにする設定段階（ＳＴ１）と、
前記人体荷重センサーおよび水路制御部（３００）がターンオンされて作動すると、シリンダー動作部（５００）に給水された水の水圧によって前記シリンダー動作部（５００）内のシリンダーロッド（５１０）を前進させる前進段階（ＳＴ２〜ＳＴ５）と、
人体荷重が除去されたと前記人体荷重センサーおよび水路制御部（３００）で判別すると、前記シリンダーロッド（５１０）を後進させて自動水洗装置へ水を給水させる給水段階（ＳＴ６、ＳＴ７）とを含んでなることを特徴とする、水圧および人体荷重を用いた便器の無電源自動水洗付き便座の制御方法。
【請求項６】
前記設定段階では、
水圧および便器種類の排水量に合わせて前記チェック弁ユニット（４００）のシリンダー後進時退水チェック弁（４２０）を調節することを特徴とする、請求項６に記載の水圧および人体荷重を用いた便器の無電源自動水洗付き便座の制御方法。
【請求項７】
前記前進段階は、前記人体荷重センサーおよび水路制御部（３００）内の人体荷重スイッチ（３１０）がターンオンされると動作することを特徴とする、請求項６に記載の水圧および人体荷重を用いた便器の無電源自動水洗付き便座の制御方法。
【請求項８】
前記前進段階では、
前記人体荷重センサーおよび水路制御部（３００）内のシリンダー前進時給水制御弁（３２０）のオン状態によって給水された水が前記シリンダー動作部（５００）内のシリンダーロッド（５１０）へ配管を介して伝達されるようにして、水の水圧によって前記シリンダーロッド（５１０）を前進させることを特徴とする、請求項６に記載の水圧および人体荷重を用いた便器の無電源自動水洗付き便座の制御方法。
【請求項９】
前記給水段階では、
前記人体荷重センサーおよび水路制御部（３００）内の水洗給水制御弁（３４０）がターンオンされるようにして、前記シリンダー動作部（５００）内の水洗開閉弁（５２０）を介して自動水洗装置へ水を給水させることを特徴とする、請求項５〜８のいずれか１項に記載の水圧および人体荷重を用いた便器の無電源自動水洗付き便座の制御方法。
【請求項１０】
前記給水段階では、
自動水洗装置に水を給水させるとき、前記シリンダーロッド（５１０）がバネ（５４０）によって後進するようにすることを特徴とする、請求項５〜８のいずれか１項に記載の水圧および人体荷重を用いた便器の無電源自動水洗付き便座の制御方法。
【請求項１１】
チェック弁ユニット（４００）を水圧および便器種類の排水量に合わせて調節し、人体荷重センサーおよび水路制御部（３００）の設定が行われるようにする設定段階（ＳＴ１１）と；
水道栓から配管を介して供給された水を濾過するフィルター段階（ＳＴ１２）と；
供給された水を一定の水圧に変換させる減圧段階（ＳＴ１３）と；
人体荷重センサーおよび水路制御部（３００）がターンオンされて作動すると、シリンダー動作部（５００）へ給水された水を供給して前記シリンダー動作部（５００）内のシリンダーロッド（５１０）を水圧によって前進させながら大便か小便かの区分および水洗遅延時間区分を行う前進段階（ＳＴ１４〜ＳＴ１６）と；
人体荷重が除去されたことを前記人体荷重センサーおよび水路制御部（３００）で判別すると、前記シリンダーロッド（５１０）を後進させながら、区分された大小便、水洗遅延時間に応じて自動水洗装置へ水を給水させる給水段階（ＳＴ１７、ＳＴ１８）と；を含んでなることを特徴とする、水圧および人体荷重を用いた便器の無電源自動水洗装置付き便座の制御方法。
【請求項１２】
前記設定段階では、
水圧および便器種類の排水量に合わせて、前記チェック弁ユニット（４００）のシリンダー前進時退水チェック弁（４１０）、シリンダー後進時退水チェック弁（４２０）、水洗遅延時間チェック弁（４３０）および手動レバー水量チェックバルブ（４４０）のうちの少なくとも一つを調節することを特徴とする、請求項２４に記載の水圧および人体荷重を用いた便器の無電源自動水洗装置付き便座の制御方法。
【請求項１３】
前記前進段階では、
前記人体荷重センサーおよび水路制御部（３００）の作動の際に、人体荷重スイッチ（３１０）はオン、シリンダー前進時給水制御弁（３２０）はオン、シリンダー後進時給水制御弁（３３０）はオフ、選択給水制御弁（３４１）はオフ、シリンダー前進時退水制御弁（３５０）はオン、シリンダー後進時退水制御弁（３６０）はオフにそれぞれ変更されるようにすることを特徴とする、請求項２４に記載の水圧および人体荷重を用いた便器の無電源自動水洗装置付き便座の制御方法。
【請求項１４】
前記前進段階では、
前記人体荷重センサーおよび水路制御部（３００）内のシリンダー前進時給水制御弁（３２０）のオン状態によって給水された水が前記シリンダー動作部（５００）内のシリンダーロッド（５１０）の前部分に配管を介して伝達されるようにして、伝達された水の水圧によって前記シリンダーロッド（５１０）を前進させることを特徴とする、請求項２４に記載の水圧および人体荷重を用いた便器の無電源自動水洗装置付き便座の制御方法。
【請求項１５】
前記前進段階における大小便の区分は、
前記チェック弁ユニット（４００）内のシリンダー前進時退水チェック弁（４１０）の調節によって行われるようにすることを特徴とする、請求項２４に記載の水圧および人体荷重を用いた便器の無電源自動水洗装置付き便座の制御方法。
【請求項１６】
前記前進段階における大小便の区分は、
前記人体荷重センサーおよび水路制御部（３００）内の人体荷重スイッチ（３１０）がターンオンされた後、５秒〜２０秒以上５０秒〜８０秒以下であれば、小便として判断して小便に相応する自動水洗が行われるようにし、５０秒〜８０秒以上であれば、大便として判断して大便に相応する自動水洗が行われるようにすることを特徴とする、請求項３１に記載の水圧および人体荷重を用いた便器の無電源自動水洗装置付き便座の制御方法。
【請求項１７】
前記給水段階は、前記人体荷重センサーおよび水路制御部（３００）内の人体荷重スイッチ（３１０）がターンオフされると動作することを特徴とする、請求項１１〜１６のいずれか１項に記載の水圧および人体荷重を用いた便器の無電源自動水洗装置付き便座の制御方法。
【請求項１８】
前記給水段階では、
前記人体荷重センサーおよび水路制御部（３００）内の選択給水制御弁（３４１）がターンオンされるようにして、前記シリンダー動作部（５００）内の選択開閉弁（５２２）を介して自動水洗装置へ水を給水させることを特徴とする、請求項１１〜１６のいずれか１項に記載の水圧および人体荷重を用いた便器の無電源自動水洗装置付き便座の制御方法。
【国際調査報告】
2011511189.tif 000018
2011511189.tif 000019